(57)【要約】【目的】着衣状態のワイシャツの襟を常時、整然とした状態に維持することができる襟用仮固定具セットを提供すること。【構成】剥離台紙３と、両面に粘着層１２が装着されると共にワイシャツＢの襟５の剣先５１から縦辺５２又は下辺５３に沿って貼着されると共に、短辺を傾斜状とした台形帯状の接合シート１と、該接合シート１と同等形状で且つ該接合シート１の表面側に貼着される剥離シート２とからなる襟用仮固定具Ａとからなること。前記剥離台紙３に、複数個の前記襟用仮固定具Ａの前記接合シート１の裏面側が貼着されてなること。【選択図】      図１
2015025230.tif 000002
【特許請求の範囲】
【請求項１】
剥離台紙と、両面に粘着層が装着されると共にワイシャツの襟の剣先から縦辺又は下辺に沿って貼着されると共に、短辺を傾斜状とした台形帯状の接合シートと、該接合シートと同等形状で且つ該接合シートの表面側に貼着される剥離シートとからなる襟用仮固定具とからなり、前記剥離台紙に、複数個の前記襟用仮固定具の前記接合シートの裏面側が貼着されてなることを特徴とする襟用仮固定具セット。
【請求項２】
請求項１において、前記襟用仮固定具における前記剥離台紙の剥離面は、前記剥離シートの剥離面よりも前記接合シートとの接合が弱くしてなることを特徴とする襟用仮固定具セット。
【請求項３】
請求項１において、前記接合シートの粘着力は、表面側を裏面側より大きくしてなることを特徴とする襟用仮固定具セット。
【請求項４】
請求項１，２又は３のいずれか１項の記載において、前記剥離台紙は、横方向が縦方向よりも短くなる長方形とし、前記襟用仮固定具は、前記剥離台紙上に前記襟用仮固定具の単体を長手方向が前記剥離台紙の横方向に沿うようにして縦方向に等間隔に配列されてなることを特徴とする襟用仮固定具セット。
【請求項５】
請求項１，２又は３のいずれか１項の記載において、前記襟用仮固定具は、前記剥離台紙と同等の形状を有する接合シート原材と剥離シート原材に切込みが入れられることにより形成されてなることを特徴とする襟用仮固定具セット。
【請求項６】
請求項１，２，３，４又は５のいずれか１項の記載において、前記剥離シートのみにその長手方向中間箇所に該剥離シートを分離する切取り線が形成されてなることを特徴とする襟用仮固定具セット。
【請求項７】
請求項６において、前記切取り線は、前記剥離シートの長手方向の中心の位置に形成されてなることを特徴とする襟用仮固定具セット。
【請求項８】
請求項６において、前記切取り線は、前記剥離シートの長手方向の中心寄りも長手方向端部寄りの位置に形成されてなることを特徴とする襟用仮固定具セット。
【請求項９】
請求項１，２，３，４，５，６，７又は８のいずれか１項の記載において、前記接合シートには、香料剤が含有されてなることを特徴とする襟用仮固定具セット。
【請求項１０】
請求項１，２，３，４，５，６，７，８又は９のいずれか１項の記載において、前記接合シートには、消臭剤が含有されてなることを特徴とする襟用仮固定具セット。
【発明の詳細な説明】
【技術分野】
【０００１】
本発明は、着衣状態のワイシャツの襟を、常時整然とした状態に維持することができる襟用仮固定具セットに関する。
【背景技術】
【０００２】
ワイシャツは、着衣した状態において、ネクタイを装着又は外したときのいずれについても、襟の状態が整っていることが極めて重要である。襟は、型崩れの無い、整然とした状態であることが身だしなみからも大切なものである。よって、襟は、大切に扱われ、ワイシャツの他の部位よりも硬く仕上げられ、クリーニングの際にも、特に綿密に手入れが行われる部分となる。
【０００３】
そして、交渉，商談，会議，面談，面会等において、服装は相手に対する礼儀として極めて重要なものであり、特にワイシャツの場合では、その襟に他人の目が集中することが多い。したがって、ワイシャツの襟全体の形が崩れていたり、又は襟の剣先が捻じれたりしていると、相手にはだらしなく映るものである。
【０００４】
また、近年、夏季においては、ネクタイを装着しないことも多くなっており、特にワイシャツの襟が乱れがちになる。つまり、ネクタイをしない場合では、ワイシャツの襟元のボタンは、外された状態となるので、襟の形も乱れやすくなり、より一層、注意が必要となる。
【０００５】
特に、ワイシャツの襟の剣先は、捻じれたりしていなくとも、ワイシャツの前身ごろで首回り付近に略当接した状態であることが美しく好ましいものといえる。これに対して、襟の剣先がワイシャツの前身ごろで首回り付近から離れて浮き上がっていると、極めてみっともないものである。そこで、ワイシャツの襟の乱れを防止し、常時整然とした形状に維持するためのものが、特許文献１及び特許文献２等に開示されている。
【先行技術文献】
【特許文献】
【０００６】
【特許文献１】特開２００８−２９１４０５号公報
【特許文献２】特開平８−３２５８０１号公報
【発明の概要】
【発明が解決しようとする課題】
【０００７】
特許文献１は、カッターシャツの襟を平坦に広げた形状に略合わせた形状及び大きさを有するポリエチレン樹脂製の弾性シートよりなる襟補強シート本体を形成し、この襟補強用シート本体の裏面における左右両端縁近傍における少なくとも一部面に、当該襟補強シート本体を前記襟の裏面に貼り付けて使用するための粘着剤層を積層固定させたものである。
【０００８】
特許文献１は、カッターシャツの襟の裏面（内側面）に粘着テープなどによる粘着力或いはクリップを利用して着脱自在に貼り付け、襟を補強しようとするものである。そのために、襟補強シート本体は、ワイシャツの襟と略同等の形状且つ大きさを有するものであり、襟補強シート本体を襟に装着するときも、面倒であり、ワイシャツを着衣したままでは、装着が困難である等の欠点が存在する。
【０００９】
次に、特許文献２では、外襟端部の内側及び外襟端部先端が接する位置の前身ごろ上に設置した布テープが設けられ、襟を布テープで固定する構成とし、襟元の歪みと共にネクタイの緩みも防止しようとするものである。しかし、特許文献２では、外襟の内側と前身ごろに布テープを縫い付ける必要がある。これは、ワイシャツ自体を改造するに等しく、布テープが不要になった時に、容易に取り外すことができず、また、縫い付け跡が残ってしまうことになるという欠点が存在する。
【００１０】
本発明の目的（解決しようとする技術的課題）は、ワイシャツの襟を極めて簡単に固定し、襟の形状が乱れたり、剣先が浮き上がったりすることを防止し、常時、美しい襟の形状を維持することにある。
【課題を解決するための手段】
【００１１】
そこで、発明者は、上記課題を解決すべく、鋭意，研究を重ねた結果、請求項１の発明を、剥離台紙と、両面に粘着層が装着されると共にワイシャツの襟の剣先から縦辺又は下辺に沿って貼着されると共に、短辺を傾斜状とした台形帯状の接合シートと、該接合シートと同等形状で且つ該接合シートの表面側に貼着される剥離シートとからなる襟用仮固定具とからなり、前記剥離台紙に、複数個の前記襟用仮固定具の前記接合シートの裏面側が貼着されてなる襟用仮固定具セットとしたことにより、上記課題を解決した。
【００１２】
請求項２の発明を、請求項１において、前記襟用仮固定具における前記剥離台紙の剥離面は、前記剥離シートの剥離面よりも前記接合シートとの接合が弱くしてなる襟用仮固定具セットとしたことにより、上記課題を解決した。請求項３の発明を、請求項１において、前記接合シートの粘着力は、表面側を裏面側より大きくしてなる襟用仮固定具セットとしたことにより、上記課題を解決した。
【００１３】
請求項４の発明を、請求項１，２又は３のいずれか１項の記載において、前記剥離台紙は、横方向が縦方向よりも短くなる長方形とし、前記襟用仮固定具は、前記剥離台紙上に前記襟用仮固定具の単体を長手方向が前記剥離台紙の横方向に沿うようにして縦方向に等間隔に配列されてなる襟用仮固定具セットとしたことにより、上記課題を解決した。
【００１４】
請求項５の発明を、請求項１，２又は３のいずれか１項の記載において、前記襟用仮固定具は、前記剥離台紙と同等の形状を有する接合シート原材と剥離シート原材に切込みが入れられることにより形成されてなる襟用仮固定具セットとしたことにより、上記課題を解決した。
【００１５】
請求項６の発明を、請求項１，２，３，４又は５のいずれか１項の記載において、前記剥離シートのみにその長手方向中間箇所に該剥離シートを分離する切取り線が形成されてなる襟用仮固定具セットとしたことにより、上記課題を解決した。請求項７の発明を、請求項６において、前記切取り線は、前記剥離シートの長手方向の中心の位置に形成されてなる襟用仮固定具セットとしたことにより、上記課題を解決した。
【００１６】
請求項８の発明を、請求項６において、前記切取り線は、前記剥離シートの長手方向の中心寄りも長手方向端部寄りの位置に形成されてなる襟用仮固定具セットとしたことにより、上記課題を解決した。請求項９の発明を、請求項１，２，３，４，５，６，７又は８のいずれか１項の記載において、前記接合シートには、香料剤が含有されてなる襟用仮固定具セットとしたことにより、上記課題を解決した。請求項１０の発明を、請求項１，２，３，４，５，６，７，８又は９のいずれか１項の記載において、前記接合シートには、消臭剤が含有されてなる襟用仮固定具セットとしたことにより、上記課題を解決した。
【発明の効果】
【００１７】
請求項１の発明では、剥離台紙から剥離シートと接合シートとからなる襟用仮固定具を剥し取ることにより、該襟用仮固定具の接合シートの裏面側は粘着層が露出した状態となる。そして、ワイシャツの襟を立てて、襟の裏面側で剣先部から襟の縦辺又は下辺に沿って前記襟用仮固定具を貼着し、そのまま剥離シートを剥すと、襟の剣先部の裏面側に接合シートのみが貼着された状態にできる。
【００１８】
これによって、襟の剣先部分をワイシャツの前身頃の首回り箇所に押圧するのみで、襟の剣先は、ワイシャツの前身頃の首回り箇所に前記接合シートを介して接合され、襟が固定され、襟の乱れを防止することができる。
【００１９】
このように、本発明の襟用仮固定具は、剥離台紙からそれぞれ必要な個数だけ剥し取るのみで、粘着層が現われ、ワイシャツを着用したままの状態であっても、襟を立てることにより、鏡を見ながら極めて簡単に装着することができる。剥離台紙には、複数個の襟用仮固定具が貼着されているので、数枚のワイシャツに使用することができる。
【００２０】
請求項２の発明では、前記襟用仮固定具における前記剥離台紙の剥離面は、前記剥離シートの剥離面よりも前記接合シートとの接合が弱くしてなる構成により、剥離台紙から襟用仮固定具を確実に剥し取ることができ、襟用仮固定具を剥離台紙から剥し取る際に、剥離台紙上に接合シートが残ってしまうことがない。請求項３の発明では、請求項３の発明を、請求項１において、前記接合シートの粘着力は、表面側を裏面側より大きくした構成により、請求項２の効果と同様に、剥離台紙から襟用仮固定具を確実に剥し取ることができる。
【００２１】
請求項４の発明では、前記剥離台紙は、横方向が縦方向よりも短くなる長方形とし、前記襟用仮固定具は、前記剥離台紙上に前記襟用仮固定具の単体を長手方向が前記剥離台紙の横方向に沿うようにして縦方向に等間隔に配列されたことにより、剥離台紙から襟用仮固定具を剥し取る作業が簡単且つ確実にできる。
【００２２】
請求項５の発明では、襟用仮固定具は、前記剥離台紙と同等の形状を有する接合シート原材と剥離シート原材に切込みが入れられることにより形成される構成としたことにより、本発明の襟用仮固定具セットの製造を打ち抜き加工によって製造することができ、大量且つ低価格に提供することができる。
【００２３】
請求項６の発明では、前記剥離シートのみにその長手方向中間箇所に該剥離シートを分離する切取り線が形成されてなる襟用仮固定具セットとしたことにより、本発明における襟用仮固定具を剥離台紙から剥がして、ワイシャツの襟に貼着した後に、剥離シートを剥すことがより一層、円滑にできる。
【００２４】
上記効果を詳述すると、前記剥離シートのみにその長手方向中間箇所に切取り線が設けられているので、剥離シートを長手方向の中間箇所で２つに分離して、切取り線により長手方向の左右両側からそれぞれ別々に剥すことができる。このとき、剥離シートは、長手方向の中間箇所から剥がすことができるので、剥離シートと接合シートとを剥すことが容易にできるものである。
【００２５】
特に、襟に貼着した襟用仮固定具の切取り線を中心にしてその両側を、該切取り線が山の頂部となるように、僅かに折り曲げるのみで、前記切取り線の両側の剥離シートの端部が接合シートから浮き上がるように、接合シートから剥がれ易くなる。これによって、ワイシャツの襟に貼着された襟用仮固定具において、剥離シートを接合シートから剥がし易い状態となり、剥離シートの剥し作業を極めて簡単にすることができる。
【００２６】
請求項７の発明では、前記取り線は、前記剥離シートの長手方向の中心の位置に形成されているので、襟用仮固定具をワイシャツの襟に貼着したままの状態で、前記切取り線箇所を中心にして折り曲げる作業が容易にでき、切取り線の両側の剥離シートの端縁が接合シートから浮き上がり、剥し易いものにできる。請求項８の発明では、請求項６と同様の効果を奏する。
【００２７】
請求項９の発明では、接合シートには、香料剤が含有されているので、本発明の襟用仮固定具を襟に貼着するのみで、香料の効き目を発することができる。請求項１０の発明では、接合シートには、消臭剤が含有されているので、首回りの汗による体臭を消すことができる。
【図面の簡単な説明】
【００２８】
【図１】（Ａ）は本発明の第１実施形態において剥離台紙から襟用仮固定具を剥し取る状態の正面図、（Ｂ）は（Ａ）のＸ1―Ｘ1矢視拡大断面図、（Ｃ）は（Ａ）のＸ2―Ｘ2矢視拡大断面図、（Ｄ）は（Ｃ）の襟用仮固定具と剥離台紙とを分離した断面図である。
【図２】（Ａ）は本発明の第１実施形態の要部斜視図、（Ｂ）は接合シートの平面図である。
【図３】（Ａ）は本発明の要部斜視図使用したワイシャツの襟部分の正面図、（Ｂ）は本発明を使用したワイシャツの襟部分の右肩側の側面図、（Ｃ）は（Ａ）のＹ1―Ｙ1矢視断面図である。
【図４】（Ａ）は本発明の第１実施形態における襟用仮固定具と剥離台紙の構成を示す分離された状態の斜視図、（Ｂ）は（Ａ）のＹ2―Ｙ2矢視拡大断面図、（Ｃ）は本発明の第２実施形態における襟用仮固定具と剥離台紙の構成を示す分離された状態の斜視図、（Ｄ）は（Ｃ）のＹ3―Ｙ3矢視拡大断面図である。
【図５】（Ａ）乃至（Ｄ）はワイシャツを着衣したままの状態で襟に本発明の第１実施形態の襟用仮固定具を貼着する過程を示す右肩側の側面図、（Ｅ）は本発明をワイシャツの立てた襟の両剣先に貼着した状態の正面図、（Ｆ）は（Ｃ）の（α）部拡大図、である。
【図６】（Ａ）は本発明の襟用仮固定具を襟の剣先から下辺に沿って貼着した実施形態のワイシャツの正面図、（Ｂ）は（Ａ）の右肩側の側面図、（Ｃ）は（Ａ）のＹ4―Ｙ4矢視拡大断面図である。
【図７】（Ａ）及び（Ｂ）は剥離台紙上における襟用仮固定具の配列例を示す正面である。
【図８】（Ａ）乃至（Ｅ）は第１実施形態の襟用仮固定具を着衣されていない状態のワイシャツの襟に貼着する過程を示す図である。
【図９】（Ａ）は本発明の第３実施形態において剥離台紙から襟用仮固定具を剥し取る状態の正面図、（Ｂ）は第３実施形態の襟用仮固定具の斜視図、（Ｃ）は（Ｂ）の襟用仮固定具において切取り線の両側の剥離シート片の一部を接合シートから剥がされた状態を示す斜視図、（Ｄ）は本発明の第３実施形態の変形例を示す一部切除した要部正面図である。
【図１０】（Ａ）乃至（Ｃ）は本発明の第３実施形態において襟用仮固定具を着衣されていない状態のワイシャツの襟に貼着する過程を示す図、（Ｄ）は（Ｂ）のＹ5―Ｙ5矢視拡大断面図である。
【図１１】（Ａ）乃至（Ｅ）は第３実施形態の襟用仮固定具を着衣された状態のワイシャツの襟に貼着する過程を示す図である。
【発明を実施するための形態】
【００２９】
以下、本発明の襟用仮固定具セットの実施形態を図面に基づいて説明する。本発明の襟用仮固定具セットでは、複数の実施形態が存在し、全実施形態では、複数の襟用仮固定具Ａ，Ａ，…と、これらの襟用仮固定具Ａが貼着される剥離台紙３とから構成される（図１参照）。
【００３０】
まず、本発明の第１実施形態では、襟用仮固定具Ａは、接合シート１と剥離シート２とから構成される。前記接合シート１は、ベースシート部１１の表面及び裏面に粘着層１２，１２が設けられたものである〔図１（Ｂ）乃至（Ｄ）参照〕。ベースシート部１１は、紙材であり、極めて薄いシート状に形成されたものであり、具体的には、薄葉紙が好適である。
【００３１】
また、ベースシート部１１は、合成樹脂製のフィルム材又は、スポンジ状のシート等から形成されることもある。粘着層１２，１２は、通常の粘着テープに施されている粘着力と同程度のものであり、前記ベースシート部１１の表面及び裏面に粘着層１２，１２が設けられ、接合シート１が構成される。ここで、ベースシート部１１の表面側とは剥離シート２が貼着される側であり、裏面側とは剥離台紙３が貼着される側となる。
【００３２】
このようにして構成された接合シート１は、帯状で且つ四辺形に形成されたものである〔図１（Ａ），図２（Ａ）参照〕。接合シート１の長手方向の両端辺は、該接合シート１が略台形状となるように、傾斜状の辺として形成される。該接合シート１の長手方向両端を短辺１１ａとし、接合シート１の長手方向に直交する幅方向両端の辺、つまり接合シート１の長手方向に沿う辺を長辺１１ｂとする（図２参照）。
【００３３】
そして、前記短辺１１ａと、長辺１１ｂとのなす角度で鋭角となる側を傾斜角度θとする。該傾斜角度θは、接合シート１を貼着するワイシャツＢの襟５の剣先５１の剣先角度θｗに略等しくなるように設定される〔図５（Ｆ）参照〕。
【００３４】
つまり
2015025230.tif 000003
となる。
【００３５】
また、ワイシャツＢの襟５には、複数の種類（パターン）が存在し、剣先角度θｗもそれぞれ異なるものである。よって、接合シート１については、その傾斜角度θを、ワイシャツＢの襟５の種類に合わせて複数種類、用意されることが好ましく、前記傾斜角度θは、鋭角又は略直角に近い鋭角等のもの等、複数種類を揃えておくとあらゆる襟５のパターンに適応することができる〔図２（Ｂ）参照〕。
【００３６】
剥離シート２は、一方の面に剥離層が設けられる剥離加工が施されたものであり、前記接合シート１の表面側に粘着層１２を介して貼着される。つまり、襟用仮固定具Ａは、接合シート１と剥離シート２による２層構造となる〔図１（Ｅ），図２（Ａ），（Ｂ）参照〕。剥離シート２は、紙材からなり、前記接合シート１と同様に帯状に形成されたものである。
【００３７】
次に、剥離台紙３は、前述した複数個の襟用仮固定具Ａ，Ａ，…を複数個貼着しておくものである。剥離台紙３は、その形状は自由に設定することができ、長方形，正方形等の方形状が好適であるが、その他として三角形，台形，平行四辺形等でもよい。つまり、販売するときに、購買者の購買意欲を起こさせるような形状にすることが好ましい。本発明において、剥離台紙３の具体的な形状としては、長方形としている〔図１（Ａ），図４（Ａ），（Ｃ）参照〕。
【００３８】
剥離台紙３は、前記剥離シート２と同様に一方の面に剥離層が設けられる剥離加工が施されたものである。この剥離加工された面に、前記襟用仮固定具Ａの接合シート１の裏面側の粘着層１２を介して複数個が貼着されている。そして、本発明の第１実施形態では、剥離台紙３は、横方向が縦方向よりも短くなる長方形とし、該剥離台紙３上に前記襟用仮固定具Ａの単体を、その長手方向が前記剥離台紙３の横方向に対して平行（略平行も含む）となるようにして貼着され、これら襟用仮固定具Ａが縦方向に等間隔に配列されたものである。
【００３９】
複数の襟用仮固定具Ａ，Ａ，…の配列では、隣接する襟用仮固定具Ａ，Ａとの間に僅かのスペースが設けられるように離間している。このように隣接する襟用仮固定具Ａ，Ａを所定の間隔に離間させておくことで、一個の襟用仮固定具Ａを剥離台紙３から剥し取るときに、他の襟用仮固定具Ａが連れられて一緒に引き剥がされることを防止できる。
【００４０】
本発明の第２実施形態では、前記剥離台紙３と同等の形状を有する接合シート原材Ｐ1
と剥離シート原材Ｐ2が備えられている〔図４（Ｃ），（Ｄ）参照〕。前記接合シート原
材Ｐ1は、接合シート１を形成するものであり、その両面に粘着層１２，１２を有してい
る。そして、接合シート原材Ｐ1と剥離シート原材Ｐ2とが粘着層１２を介して接合されている。
【００４１】
接合された接合シート原材Ｐ1と剥離シート原材Ｐ2は、そのまま剥離台紙3に貼着され、前記接合シート原材Ｐ1と剥離シート原材Ｐ2には、カッター等の工作機械により、襟用仮固定具Ａの単体の形状となる切抜き線Ｐｃが形成される。該切抜き線Ｐｃは、具体的には切断刃又はパンチプレスによるプレス加工によって形成される。ただし、切抜き線Ｐｃは、剥離台紙３には形成されない。
【００４２】
そして、前記切抜き線Ｐｃに沿って、該抜き線Ｐｃによって囲まれた部分を剥離台紙３から剥し取ることにより、接合シート１と剥離シート２とからなる襟用仮固定具Ａを形成することができる。前記接合シート原材Ｐ1及び前記剥離シート原材Ｐ2には、襟用仮固定具Ａを取り除いたブランクが残る。
【００４３】
この第２実施形態では、使用しない襟用仮固定具Ａは、接合シート原材Ｐ1と剥離シート原材Ｐ2ともに剥離台紙３に貼着され、襟用仮固定具Ａの周縁は接合シート原材Ｐ1及び剥離シート原材Ｐ2によって覆われているので、襟用仮固定具Ａの周縁に埃や塵が付着して汚れることを防止できるものである。
【００４４】
次に、剥離台紙３から襟用仮固定具Ａを剥し取るときに、剥離シート２側に接合シート１が必ず付いてくる構成にするためには、以下のような構造にする。まず、剥離シート２と剥離台紙３とのそれぞれの剥離面において、前記接合シート１の表面及び裏面の粘着層１２，１２との粘着力に強弱の差が生じるように表面処理を施す。つまり、剥離シート２と剥離台紙３のそれぞれの剥離面の粗さに変化を与える。
【００４５】
これによって、接合シート１の表面及び裏面における粘着層１２，１２の粘着力に差が生じる。そして、剥離シート２と接合シート１側の接合力が常時、剥離台紙３接合シート１の接合力より大きくなるように設定しておく。このようにすることで、剥離シート２を剥離台紙３から剥し取るときに、該剥離シート２に必ず接合シート１が付いてくることになる。
【００４６】
また、剥離シート２に接合シート１が必ず付いてくる別の構成としては、接合シート１の表面側及び裏面側の粘着層１２，１２の粘着力に強弱を与えておく。つまり、接合シート２と貼着する表面側の粘着層１２の粘着力を大とし、剥離台紙３と貼着する裏面側の粘着層１２の粘着力を小とする。
【００４７】
その粘着力の差は僅かで構わない。これによって、剥離台紙３から剥離シート２を剥すときには、剥離シート２側に接合シート１が必ず貼着することになる。そして、剥離シート２と共に接合シート１を襟５の剣先５１に貼着したときには、今度は、接合シート１と襟５側との貼着力が、剥離シート２との貼着力を上回り、襟５の剣先５１に接合シート１のみを貼着できる。
【００４８】
次に、本発明の使用方法について説明する。まず、ワイシャツＢを着たままの状態で、本発明における襟用仮固定具Ａにて、襟５を固定する方法を説明する。本発明の襟用仮固定具Ａを、剥離台紙３から剥し取る〔図１（Ａ），（Ｂ）参照〕。ここで、襟用仮固定具Ａは、剥離シート２に接合シート１が貼着された状態である。
【００４９】
そして、鏡を見ながら、ワイシャツＢの襟５を立てて、剥離シート２と共に接合シート１の粘着層１２を襟５の裏面側で剣先部５１から襟５の縦辺５２又は下辺５３に沿って貼着する〔図５（Ａ）参照〕。そのまま剥離シート２を接合シート１から剥すと、襟５の剣先５１の裏面側に接合シート１のみが貼着された状態となる〔図５（Ｂ）乃至（Ｃ）及び（Ｅ）参照〕。
【００５０】
さらに、そのまま立てた襟５を下に折り返す〔図５（Ｄ）参照〕。そして、剣先５１の裏面側を前身頃６の首回り部に押圧するのみで、接合シート１によって襟５の剣先５１と前身頃６の首回り部分とが接合され、襟５が固定され、襟５の乱れを防止することができる（図３参照）。
【００５１】
このように、本発明の襟用仮固定具Ａは、ワイシャツＢを着用したままの状態であっても、襟５を立てることにより、鏡を見ながら極めて簡単に装着することができる。したがって、朝の支度で極めて短時間にワイシャツの襟の固定を行うことができる。また、接合シート１の長手方向両端部の少なくとも一方の縦辺５２は、傾斜状としたことにより、接合シートを襟５の剣先５１から縦辺５２又は下辺５３に沿った形状に合わせて貼着することができる。
【００５２】
これはワイシャツＢの襟５の剣先５１は、一般的に直角ではなく鋭角であり、本発明における接合シート１の短辺１１ａを傾斜状とすることで、剣先５１部分の形状に対して適正に合わせることができ、剣先５１部分を有効的に前身頃６に貼着させることができる。
【００５３】
また、襟用仮固定具Ａを襟５の剣先５１から下辺５３に沿って貼着する実施形態も存在する（図６参照）。この実施形態では、襟５の下辺５３に沿って襟５が前身頃６に固定されることにより、特にネクタイを外した状態で襟５の形状を整えることができる。
【００５４】
次に、ワイシャツＢを着用しない状態で、本発明における襟用仮固定具ＡにてワイシャツＢの襟５を固定する方法を説明する（図８参照）。まず、ワイシャツＢの襟５を立てた状態にして該襟５を机やテーブル等の安定した場所場に置き、襟５の所定位置に本発明における襟用仮固定具Ａを貼着する〔図８（Ａ）参照〕。
【００５５】
そして、前述したワイシャツＢを着たままの状態の場合と同様に、剥離シート２を接合シート１から剥し〔図８（Ｂ）参照〕、襟５の剣先５１の裏面側に接合シート１のみが貼着された状態とする〔図８（Ｃ）参照〕。そのまま立てた襟５を下に折り返し、襟５の剣先５１と前身頃６の首回り部分とを接合する〔図８（Ｄ）参照〕。
【００５６】
なお、本発明における襟用仮固定具ＡのワイシャツＢの襟５への装着は、最初のうちはワイシャツＢを着ない状態で行うことが好ましい。そして、使い馴れてくるとワイシャツＢを着たままの状態で、襟５に襟用仮固定具Ａを装着することができるようになる。
【００５７】
次に、本発明の第３実施形態を図９乃至図１１について説明する。この第３実施形態では、前記剥離シート２のみに、その長手方向中間箇所に切取り線２ａが形成されたものである〔図９（Ａ），（Ｂ）参照〕。該切取り線２ａは、剥離シート２を長手方向において、左右２つに分離する切断線であり、切取り線２ａを介して、剥離シート２は、長手方向の中間箇所より、接合シート１から剥離シート２の半片２１，２１を別々に剥すことができる〔図９（Ｃ）参照〕。切取り線２ａは、剥離シート２の長手方向に対して直交する直線状に形成されたものである。切取り線２ａは、「背割り」又は「背割り線」とも呼ばれることもある。
【００５８】
また、切取り線２ａは、前述したように、剥離シート２のみに形成されるものであって、接合シート１及び剥離台紙３には、切取り線２ａは形成されないものである〔図９（Ｃ）参照〕。したがって、剥離シート２の切取り線２ａの一方側を剥がしたとしても、接合シート１は、そのまま長手方向が元の長さを維持する。
【００５９】
前記切取り線２ａは、前記剥離シート２の長手方向の中心の位置に形成される〔図９（Ａ），（Ｂ）参照〕。また、第３実施形態の変形例として、前記切取り線２ａは、前記剥離シート２の長手方向の中心寄りも長手方向端部寄りの位置に形成されたものである〔図９（Ｄ）参照〕。
【００６０】
本発明の第３実施形態における襟用仮固定具ＡにてワイシャツＢの襟５に貼着する方法を、着用されていないワイシャツＢの場合について説明する（図１０参照）。まず、接合シート１と共に剥離シート２を剥離台紙３から剥がして、接合シート１の粘着層１２を、ワイシャツＢの立てられた襟５の裏面側に貼着する〔図１０（Ａ）参照〕。
【００６１】
切取り線２ａの位置から、長手方向に２つに分離された一方側の半片２１である剥離シート２を剥す〔図１０（Ｂ）参照〕。そして、剥離シート２の残りの半片２１を切取り線２ａ側から剥がしてゆく〔図１０（Ｃ）参照〕。これによって、襟５の剣先５１の裏面側には、接合シート１のみが貼着された状態となる。
【００６２】
ここで、剥離シート２は、接合シート１と共に襟５の裏面側に貼着された状態では、切取り線２ａの形成位置を中心とし、該切取り線２ａが山形の頂部となるようにして、該切取り線２ａの両側を僅かに折り曲げるようにする〔図１０（Ｄ）参照〕。剥離シート２は、接合シート１よりも硬質な紙材であり、切取り線２ａ箇所の両側で接合シート１から剥がれて浮き上がるようになる〔図１０（Ｂ），（Ｄ）参照〕。
【００６３】
これによって、剥離シート２を接合シート１から剥がし易い状態になる。これによって、本発明の襟用仮固定具ＡをワイシャツＢの立てられた襟５の裏面側に貼着する作業を簡易且つ迅速にすることができる。
【００６４】
また、ワイシャツＢを着衣したままの状態で、本発明における襟用仮固定具Ａによって襟５を固定することもできる。この場合では第１実施形態と同様に、鏡を見ながら、ワイシャツＢの襟５を立てて、剥離シート２と共に接合シート１の粘着層１２を襟５の裏面側で剣先部５１から襟５の縦辺５２又は下辺５３に沿って貼着する〔図１１（Ａ）参照〕。
【００６５】
そのまま剥離シート２を切取り線２ａを中心として一方側を接合シート１から剥し、さらに他方側も接合シート１から剥がす〔図１１（Ｂ）乃至（Ｄ）参照〕。そのまま立てた襟５を下に折り返し、剣先５１の裏面側を前身頃６の首回り部に押圧する〔図１１（Ｄ）参照〕。
【００６６】
本発明における襟用仮固定具Ａの接合シート１には、香料剤が含有される実施形態が存在する。これによって、接合シート１に含有された香料剤は、香料の効き目を発することができる。また、前記接合シート１には、消臭剤が含有されることもある。これによって、接合シート１に含有された消臭剤は、首回りの汗或いはその他の原因によって生じる体臭を消すことができる。
【００６７】
図７（Ａ）及び図７（Ｂ）は剥離台紙上における襟用仮固定具の配列例を示す正面図である。図７（Ａ）は、複数の襟用仮固定具Ａ，Ａ，…において、隣接する襟用仮固定具Ａ，Ａ同士が間隔を設けることなく配列されたものである。
【００６８】
図７（Ｂ）は、複数の襟用仮固定具Ａ，Ａ，…が剥離台紙３の横方向の辺に対して、傾斜状に配列されたものである。この配列例では、剥離台紙３の横方向に対して２つの襟用仮固定具Ａ，Ａが直列状に配列され、この状態で剥離台紙３の縦方向に沿って複数列となる構成である。このとき剥離台紙３の縦方向の辺と、配列された襟用仮固定具Ａの長手方向の一端で且つ剥離台紙３の辺側に近接する短辺１１ａが平行となるように配置される。
【符号の説明】
【００６９】
Ａ…襟用仮固定具、１…接合シート、１１…ベースシート部，１１ａ…短辺、
１１ｂ…長辺、１２…粘着層、２…剥離シート、２ａ…切取り線、３…剥離台紙、
Ｐ1…接合シート原材、Ｐ2…剥離シート原材、Ｐｃ…切抜き線、Ｂ…ワイシャツ、
５…襟、５１…剣先、５２…縦辺、５３…下辺。
【図１】
2015025230.tif 000004
【図２】
2015025230.tif 000005
【図３】
2015025230.tif 000006
【図４】
2015025230.tif 000007
【図５】
2015025230.tif 000008
【図６】
2015025230.tif 000009
【図７】
2015025230.tif 000010
【図８】
2015025230.tif 000011
【図９】
2015025230.tif 000012
【図１０】
2015025230.tif 000013
【図１１】
2015025230.tif 000014